【手続補正書】
【提出日】平成18年11月14日(2006.11.14)
【手続補正１】
【補正対象書類名】特許請求の範囲
【補正対象項目名】全文
【補正方法】変更
【補正の内容】
【特許請求の範囲】
【請求項１】
画像を撮影する撮影装置であって、
撮影した画像を記憶可能な記憶手段と、
画像を表示可能な表示手段と、
操作者による操作に基づいて画像を撮影すると共に該撮影した画像を前記記憶手段に記憶させる撮影実行手段と、
操作者による所定ボタンの操作がなされたとき、前記表示手段における表示の明るさを明るくする明表示を実行し、前記明表示を実行している最中に前記所定ボタンの操作がなされたとき、該明表示を停止する明表示制御手段と、
を備える撮影装置。
【請求項２】
前記明表示制御手段は、前記明表示を実行していないときに前記所定ボタンの操作がなされたときには所定時間に亘って前記明表示を実行する手段である請求項１記載の撮影装置。
【請求項３】
請求項１又は２記載の撮影装置であって、
前記表示手段は、複数段階に表示の明るさを変更可能な手段であり、
前記明表示制御手段は、前記所定ボタンの操作時間が長いほど前記表示手段における表示の明るさが明るくなるよう制御する手段である
撮影装置。
【請求項４】
前記明表示制御手段は、前記所定ボタンの操作に基づく時間に亘って前記明表示を実行する手段である請求項１記載の撮影装置。
【請求項５】
請求項４記載の撮影装置であって、
前記記憶手段に記憶された画像を前記表示手段に表示する再生モードと前記撮影実行手段により撮影を行なう撮影モードとを含む複数のモードから操作者の操作に基づいてモードを設定するモード設定手段を備え、
前記明表示制御手段は、前記モード設定手段により設定されたモードに基づいて前記明表示を実行する手段である
撮影装置。
【請求項６】
前記明表示制御手段は、前記モード設定手段により再生モードが設定されているときには、前記所定ボタンの操作が継続している時間に亘って前記明表示を実行する手段である請求項５記載の撮影装置。
【請求項７】
請求項５または６記載の撮影装置であって、
前記所定ボタンは、シャッターボタンを一つとして含み、
前記明表示制御手段は、前記モード設定手段により撮影モードが設定されているときには、前記シャッターボタンの操作が継続している時間を少なくとも含む時間に亘って前記明表示を実行する手段である
撮影装置。
【請求項８】
請求項７記載の撮影装置であって、
前記シャッターボタンへの接触を感知する接触感知手段を備え、
前記明表示制御手段は、前記接触感知手段により前記シャッターボタンへの接触を感知している時間を少なくとも含む時間に亘って前記明表示を実行する手段である
撮影装置。
【請求項９】
請求項７または８記載の撮影装置であって、
広角および望遠を指示する広角望遠指示ボタンを備え、
前記撮影実行手段は、広角望遠指示ボタンの指示に基づいて被写体を広角および望遠して撮影する手段であり、
前記所定ボタンは、前記広角望遠指示ボタンを一つとして含み、
前記明表示制御手段は、前記広角望遠指示ボタンが操作されている時間を少なくとも含む時間に亘って前記明表示を実行する手段である
撮影装置。
【請求項１０】
前記明表示制御手段による明表示を実行するか否かを設定する明表示実行設定手段を備える請求項１ないし９いずれか記載の撮影装置。
【請求項１１】
請求項１ないし１０いずれか記載の撮影装置であって、
前記表示手段は、段階的に表示の明るさを変更可能な手段であり、
更に、前記明表示制御手段による明表示の実行の際の前記表示手段の表示の明るさを設定する明表示程度設定手段を備える
撮影装置。
【請求項１２】
前記撮影装置はデジタルカメラである請求項１ないし１１いずれか記載の撮影装置。
【請求項１３】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置の制御方法であって、
（ａ）操作者による所定ボタンの操作がなされたときに前記表示手段における表示の明るさが明るい明表示となるよう該表示手段を制御し、
（ｂ）前記明表示となるよう前記表示手段を制御している最中に前記所定ボタンの操作がなされたときに該明表示を停止するよう前記表示手段を制御する
撮影装置の制御方法。
【請求項１４】
前記ステップ（ａ）では、操作者による所定ボタンの操作がなされたときに所定時間に亘って前記表示手段における表示の明るさが明るくなるよう該表示手段を制御する
請求項１３記載の撮影装置の制御方法。
【請求項１５】
請求項１３または１４記載の撮影装置の制御方法であって、
（ｃ）前記記憶手段に記憶された画像を前記表示手段に表示する再生モードと前記撮影実行手段により撮影を行なう撮影モードとを含む複数のモードから操作者の操作に基づいてモードを設定し、
（ｄ）前記再生モードが設定されている状態で操作者による所定ボタンの操作がなされたとき、該所定ボタンの操作が継続している時間に亘って前記表示手段における表示の明るさが明るくなるよう該表示手段を制御する
撮影装置の制御方法。
【請求項１６】
請求項１５記載の撮影装置の制御方法であって、
（ｅ）前記撮影モードが設定されている状態で操作者によるシャッターボタンの操作がなされたとき、該シャッターボタンの操作が継続している時間を少なくとも含む時間に亘って前記表示手段における表示の明るさが明るくなるよう該表示手段を制御する
撮影装置の制御方法。
【請求項１７】
請求項１６記載の撮影装置の制御方法であって、
前記撮影装置は、広角および望遠を指示する広角望遠指示ボタンを備え、
前記撮影実行手段は、広角望遠指示ボタンの指示に基づいて被写体を広角および望遠して撮影する手段であり、
更に、
（ｆ）前記撮影モードが設定されている状態で操作者による広角望遠指示ボタンの操作がなされたとき、該広角望遠指示ボタンの操作が継続している時間を少なくとも含む時間に亘って前記表示手段における表示の明るさが明るくなるよう該表示手段を制御するステップ
を備える撮影装置の制御方法。
【請求項１８】
撮影した画像を記憶可能な記憶手段と、画像を表示可能な表示手段と、操作者による操作に基づいて画像を撮影すると共に該撮影した画像を前記記憶手段に記憶させる撮影実行手段と、を備える撮影装置に用いられるプログラムであって、
（ａ）操作者による所定ボタンの操作がなされたときに前記表示手段における表示の明るさが明るい明表示となるよう該表示手段を制御するモジュールと、
（ｂ）前記明表示となるよう前記表示手段を制御している最中に前記所定ボタンの操作がなされたときに該明表示を停止するよう前記表示手段を制御するモジュールと
を備えるプログラム。
【請求項１９】
前記明表示を実行していないとき、操作者による所定ボタンの操作がなされたときには所定時間に亘って前記表示手段における表示の明るさが明るくなるよう該表示手段を制御するモジュール
を備える請求項１８記載のプログラム。
【請求項２０】
請求項１８または１９記載のプログラムであって、
（ｃ）前記記憶手段に記憶された画像を前記表示手段に表示する再生モードと前記撮影実行手段により撮影を行なう撮影モードとを含む複数のモードから操作者の操作に基づいてモードを設定するモジュールと、
（ｄ）前記再生モードが設定されている状態で操作者による所定ボタンの操作がなされたとき、該所定ボタンの操作が継続している時間に亘って前記表示手段における表示の明るさが明るくなるよう該表示手段を制御するモジュールと
を備えるプログラム。
【請求項２１】
請求項２０記載のプログラムであって、
（ｅ）前記撮影モードが設定されている状態で操作者によるシャッターボタンの操作がなされたとき、該シャッターボタンの操作が継続している時間を少なくとも含む時間に亘って前記表示手段における表示の明るさが明るくなるよう該表示手段を制御するモジュール
を備えるプログラム。
【請求項２２】
請求項２１記載のプログラムであって、
前記撮影装置は、広角および望遠を指示する広角望遠指示ボタンを備え、
前記撮影実行手段は、広角望遠指示ボタンの指示に基づいて被写体を広角および望遠して撮影する手段であり、
更に、
（ｆ）前記撮影モードが設定されている状態で操作者による広角望遠指示ボタンの操作がなされたとき、該広角望遠指示ボタンの操作が継続している時間を少なくとも含む時間に亘って前記表示手段における表示の明るさが明るくなるよう該表示手段を制御するモジュール
を備えるプログラム。